(57)【要約】【課題】器具本体に組み込まれたときに光源部と器具本体の放熱部とが安定して接触可能な照明ユニットに適した照明装置を提供する。【解決手段】照明装置１０は、光源部１６と、有底筒状の第１フレーム１１と、有底筒状の第２フレーム２１と、第１フレーム１１の円周方向に沿って離散して取り付けられる複数の係止部４１とを備えており、複数の係止部４１の各々は、第１端部４２と第２端部４３とを備え、互いに固定される第１フレーム１１と第２フレーム２１との間に第１端部４２が挟まれることによって照明装置１０に固定されるとともに、第２端部４３は、第１フレーム１１の側壁部１２から外側に突き出るように配置され、第１端部４２に対して弾性的に変位可能である。【選択図】図１
2015011762.tif 000002
【特許請求の範囲】
【請求項１】
光源部と、前記光源部の外周側に配置される円筒状の側壁部および前記光源部が搭載される底部を有する有底筒状の第１フレームと、少なくとも後部側が前記第１フレームの内側に配置され、前記光源部を露出させる開口が設けられた底部を有する有底筒状の第２フレームと、前記第１フレームの円周方向に沿って離散して取り付けられる複数の係止部と、を備える照明装置であって、
前記複数の係止部の各々は、第１端部と第２端部とを備えており、互いに固定される前記第１フレームと前記第２フレームとの間に前記第１端部が挟まれることによって前記照明装置に固定されるとともに、前記第２端部は、前記第１フレームの側壁部から外側に突き出るように配置され、前記第１端部に対して弾性的に変位可能であることを特徴とする照明装置。
【請求項２】
前記係止部は、前記第１端部と前記第２端部とを連結する弾性変形可能なＵ字状の連結部を有しており、前記第１端部は、前記第１フレームの底部と前記第２フレームの底部との間に配置され、前記連結部は、前記第１フレームの側壁部を前方側から軸方向に沿って挟むように配置されることを特徴とする請求項１に記載の照明装置。
【請求項３】
前記第２端部は、前記連結部の端部から外側に突き出す水平部と、該水平部の周方向の両端から後方に垂設された一対の垂直部と、を有して断面Ｕ字状に形成されていることを特徴とする請求項２に記載の照明装置。
【請求項４】
前記水平部と前記垂直部の接続部は、湾曲面であることを特徴とする請求項３に記載の照明装置。
【請求項５】
前記係止部は、鋼材の折り曲げ加工により一体に形成されていることを特徴とする請求項１から４のいずれか１項に記載の照明装置。
【請求項６】
前記第２フレームは、その内側に、すり鉢状の反射面が設けられていることを特徴とする請求項１から５のいずれか１項に記載の照明装置。
【請求項７】
前記第２フレームは、その前方端側に、フレネルレンズが配置されていることを特徴とする請求項１から６のいずれか１項に記載の照明装置。
【発明の詳細な説明】
【技術分野】
【０００１】
本発明は、照明装置に関し、詳しくは、照明ユニットと器具本体とを組合せて構成される照明器具の照明ユニットとして好適に用いられる照明装置に関する。
【背景技術】
【０００２】
従来、照明ユニットと器具本体とを組合せて構成される照明器具（例えば、特許文献１参照）、及び、その照明ユニットとして好適に用いられる照明装置（例えば、特許文献２参照）が提案されている。図７に、このような従来の照明器具の一例を示す。照明器具１００は、略円柱状の照明ユニット１１０と、照明ユニット１１０が組み込まれる器具本体１２０からなり、照明ユニット１１０は、フレーム１０１と、光源部１０４と、レンズ１０５とを含んでいる。照明ユニット１１０において、レンズ１０５は、フレーム１０１の前面側に取り付けられ、基板１０３と基板１０３の実装面１０３ａ上に実装された発光素子１０２とを含む光源部１０４は、発光素子１０２からの出射光が前方に向かうように、フレーム１０１の背面側に取り付けられる。また、器具本体１２０は、照明ユニット１１０の組み込み時に照明ユニット１１０の側面１０６を囲む環状の筐体１１２と、筐体１１２の一方の開口を覆うように設けられた放熱部１１４とを有している。
【０００３】
そして、図７に示す照明器具１００では、フレーム１０１の側面１０６に複数の突起１０７が設けられ、筐体１１２の内面１１３には、それぞれの突起１０７に対応する係止受部１１５が設けられており、照明器具１００の使用時において、照明ユニット１１０は、各突起１０７が対応する係止受部１１５によって係止されるように筐体１１２内に組み込まれる。さらに、照明器具１００は、このように照明ユニット１１０が筐体１１２内に組み込まれたときに、基板１０３の背面１０３ｂと放熱部１１４とが接触するように構成され、これによって、発光素子１０２から発生する熱を効率良く放熱することが図られている。
【先行技術文献】
【特許文献】
【０００４】
【特許文献１】特開２０１２−１０４２５７号公報
【特許文献２】特開２０１１−１５１２１８号公報
【発明の概要】
【発明が解決しようとする課題】
【０００５】
しかしながら、図７に示したような従来の照明器具１００では、突起１０７や係止受部１１５の形成位置の寸法精度が低い場合、光源部１０４の基板１０３の背面１０３ｂと放熱部１１４との接触が十分なものとはならず、例えば、背面１０３ｂの一部のみが放熱部１１４と接触した状態（片当たり）が発生する場合がある。そして、このような状態が発生すると、発光素子１０２で発生する熱を放熱部１１４に効率良く放熱することができず、光源部１０４の温度が上昇して、発光素子１０２の発光効率が低下するという問題があった。
【０００６】
本発明は、上記課題に鑑み、器具本体に組み込まれたときに光源部と器具本体の放熱部とが安定して接触可能な照明ユニットに適した照明装置を提供することを目的とする。
【課題を解決するための手段】
【０００７】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００８】
（１）光源部と、前記光源部の外周側に配置される円筒状の側壁部および前記光源部が搭載される底部を有する有底筒状の第１フレームと、少なくとも後部側が前記第１フレームの内側に配置され、前記光源部を露出させる開口が設けられた底部を有する有底筒状の第２フレームと、前記第１フレームの円周方向に沿って離散して取り付けられる複数の係止部と、を備える照明装置であって、
前記複数の係止部の各々は、第１端部と第２端部とを備えており、互いに固定される前記第１フレームと前記第２フレームとの間に前記第１端部が挟まれることによって前記照明装置に固定されるとともに、前記第２端部は、前記第１フレームの側壁部から外側に突き出るように配置され、前記第１端部に対して弾性的に変位可能であることを特徴とする照明装置（請求項１）。
【０００９】
本項に記載の照明装置は、照明ユニットと器具本体とを組合せて構成される照明器具の照明ユニットとして好適に使用され、その際、本項に記載の照明装置は、それぞれの係止部の第２端部が、器具本体が備える係止受部で係止されることによって、器具本体に取り付けられる。
そして、本項に記載の照明装置では、複数の係止部の各々について、第１端部は、互いに固定される第１フレームと第２フレームとの間に挟まれており、第２端部は第１端部に対して弾性的に変位可能であるため、照明装置及び器具本体の各部材の機械的精度（例えば、器具本体の係止受部の位置精度、または、照明装置の係止部の位置精度）が十分でなく、互いに固定された第１フレーム及び第２フレーム（以下、単にフレームともいう）と器具本体との間にがたつきが発生する可能性がある場合でも、それぞれの係止部の第２端部が第１端部に対して（したがって、フレームに対して）弾性的に変位することによりそのがたつきを吸収し、照明装置を器具本体に安定かつ強固に取り付けることが可能となる。
【００１０】
さらに、通常、照明装置の係止部は、器具本体の係止受部に後方側から嵌め込まれ、係止部の第２端部の弾性変位により、第１端部（したがって、フレーム）は後方側に付勢されるため、器具本体の背面側に設けられる放熱部に対して、光源部が搭載された第１フレームを安定して接触させることが可能となり、光源部から発生する熱を器具本体の放熱部に効率良く伝熱することにより、光源部の温度上昇を抑制し、ひいては光源部の発光効率を向上させることができる。本項に記載の照明装置は、特に、光源部が発光ダイオードからなる発光素子を備えている場合に、有利なものである。
【００１１】
また、本項に記載の照明装置において、各係止部は、互いに固定される第１フレームと第２フレームとの間に第１端部が挟まれることによって、その他の特別な固定手段を用いることなく、照明装置に固定されているため、第１フレームと第２フレームとを分離することによって、照明装置から容易に着脱可能なものである。これによって、必要に応じて（例えば、特定の係止部に故障が発生した場合、あるいは、弾性力の異なる係止部を使用したい場合等）、個々の係止部を容易に交換することができる。
【００１２】
（２）（１）項に記載の照明装置において、前記係止部は、前記第１端部と前記第２端部とを連結する弾性変形可能なＵ字状の連結部を有しており、前記第１端部は、前記第１フレームの底部と前記第２フレームの底部との間に配置され、前記連結部は、前記第１フレームの側壁部を前方側から軸方向に沿って挟むように配置されることを特徴とする照明装置（請求項２）。
【００１３】
本項に記載の照明装置によれば、係止部が、第１端部と第２端部とを連結する弾性変形可能なＵ字状の連結部を有しており、第１端部は、第１フレームの底部と第２フレームの底部との間に配置され、連結部は、第１フレームの側壁部を前方側から軸方向に沿って挟むように配置されることにより、互いに固定される第１フレームと第２フレームとの間に第１端部が挟まれることによって照明装置に固定され、第２端部は、第１フレームの側壁部から外側に突き出るように配置され、第１端部に対して弾性的に変位可能である係止部を、容易かつ安価に構成することが可能となる。
【００１４】
（３）（２）項に記載の照明装置において、前記第２端部は、前記連結部の端部から外側に突き出す水平部と、該水平部の周方向の両端から後方に垂設された一対の垂直部と、を有して断面Ｕ字状に形成されていることを特徴とする照明装置（請求項３）。
【００１５】
本項に記載の照明装置によれば、第２端部の構造的な強度が向上することにより、本項に記載の照明装置を、照明ユニットと器具本体とを組合せて構成される照明器具の照明ユニットとして使用した際に、器具本体に対してより安定かつ強固に取り付けることが可能となる。
【００１６】
（４）（３）項に記載の照明装置において、前記水平部と前記垂直部の接続部は、湾曲面であることを特徴とする照明装置（請求項４）。
【００１７】
本項に記載の照明装置によれば、本項に記載の照明装置を、照明ユニットと器具本体とを組合せて構成される照明器具の照明ユニットとして使用した際に、照明装置の係止部を、器具本体の係止受部に対して滑らかに嵌め込むことが可能となる。
【００１８】
（５）（１）〜（４）のいずれか１項に記載の照明装置において、前記係止部は、鋼材の折り曲げ加工により一体に形成されていることを特徴とする照明装置（請求項５）。
【００１９】
本項に記載の照明装置によれば、（１）〜（４）項に記載の照明装置が備える係止部を、容易かつ安価に形成することが可能となる。
【００２０】
（６）（１）から（５）のいずれか１項に記載の照明装置において、前記第２フレームは、その内側に、すり鉢状の反射面が設けられていることを特徴とする照明装置（請求項６）。
【００２１】
本項に記載の照明装置によれば、第２フレームの内側にすり鉢状の反射面が設けられていることにより、光源部から出射された光のうち直接前方へと出射されなかった光を、反射面により反射して前方に出射させることにより、光源部からの出射光の利用効率を向上させることができる。
【００２２】
（７）（１）から（６）のいずれか１項に記載の照明装置において、前記第２フレームは、その前方端側に、フレネルレンズが配置されていることを特徴とする照明装置（請求項７）。
【００２３】
本項に記載の照明装置によれば、光源部からの出射光をフレネルレンズを介して照明装置から出射させることにより、照明光の所望の配光分布を薄型かつ軽量の構造により実現することが可能となる。
【発明の効果】
【００２４】
本発明は、以上のように構成したため、照明ユニットと器具本体とを組合せて構成される照明器具において、器具本体に組み込まれたときに光源部と器具本体の放熱部とが安定して接触可能な照明ユニットに適した照明装置を提供することが可能となる。
【図面の簡単な説明】
【００２５】
【図１】本発明の一実施形態における照明装置の要部を示す断面図である。
【図２】図１に示す照明装置において、第１フレームと係止部の構成を詳細に示す斜視図である。
【図３】図１に示す照明装置において、係止部の構成を詳細に示す斜視図である。
【図４】図１に示す照明装置において、中継基板と第１フレームとを組合せて後方側から見た平面図である。
【図５】図１に示す照明装置が照明ユニットとして器具本体に組み込まれた照明器具を示す断面図である。
【図６】図５に示す照明器具において、器具本体の筐体部を詳細に示す斜視図である。
【図７】従来の照明器具の構成例を示す断面図である。
【発明を実施するための形態】
【００２６】
以下、本発明の実施の形態を添付図面に基づいて説明する。尚、本発明の一実施形態における照明装置、及びその照明装置を照明ユニットとして用いた照明器具の構成を示す各図（図１、図４、図５）は、いずれも、その要部のみを示す模式図である。したがって、本発明の実施形態における照明装置は、図示が省略された他の構成要素を備えるものであってもよい。
また、図示された各部分の相対的な寸法は、説明のために特徴を強調して示すものであって、必ずしも実際の縮尺を反映するものではない。また、添付図面（例えば、図２、図３、図６）に示される各構成要素の詳細は、説明のために本発明の好ましい態様の一例を示すものであって、本発明が、図示された構成要素の具体的態様に限定されないことは言うまでもない。
【００２７】
本発明の一実施形態における照明装置１０は、図１に示すように、光源部１６を備えており、光源部１６は、円形状の発光部１４と発光部１４を搭載する矩形状の搭載基板１５を含む。発光部１４は、青色光を発光する複数のＬＥＤチップ（図示は省略する）を黄色蛍光体が分散された樹脂材料により封止し、これによって白色光を発光するように構成されている。また、搭載基板１５は、アルミニウム等の高熱伝導性の材料から形成されている。
【００２８】
ここで、照明装置１０において、光源部１６が光を射出する方向（搭載基板１５から発光部１４に向かう方向）を前方、その逆方向を後方といい、照明装置１０の各構成要素について、前方及び後方の面をそれぞれ表面、背面ともいう。また、本発明において、光軸は、光源部１６から射出される光の配光分布の中心軸をいい、照明装置１０では、この光軸は、円形の発光部１４の幾何的中心軸に一致する。
【００２９】
また、照明装置１０は、第１フレーム１１及び第２フレーム２１を備えている。第１フレーム１１は、光源部１６の外周側に配置される円筒状の側壁部１２と、光源部１６が搭載される底部１３とを有して有底筒状に形成され、底部１３上に光源部１６が搭載されている。第２フレーム２１は、底部２５を有する有底筒状に形成され、少なくともその後部側が第１フレーム１１の内側に配置される。
【００３０】
この際、第１フレーム１１及び第２フレーム２１は、互いに同軸に配置されており、以下では、これらの共通の中心軸に符号ＣＬを付す。また、光源部１６は、第１フレーム１１に、発光部１４の中心軸（すなわち、光軸）と第１フレーム１１の中心軸ＣＬとが一致するように搭載されており、以下、光軸についても、符号ＣＬを付して参照する。
【００３１】
第１フレーム１１は、例えばアルミニウム等の高熱伝導性の材料から形成される。第１フレーム１１の底部１３において、その表面側の中央部には、光源部１６が搭載される第１座部１７が設けられ、第１座部１７の周囲には、光源部１６の位置決め用に額縁状の浅い溝１９が形成されている。また、底部１３の背面側の中央部には、扁平円柱状の第２座部１８が形成されており、第１フレーム１１は、この第２座部１８と側壁部１２との間に延在する４つの腕部２、３（図２参照）を有している。照明装置１０において、これらの腕部２、３は、第１フレーム１１の中心軸ＣＬ回りに回転対称に配置され、これらの腕部２、３のうち、互いに対向する２つの腕部２には、背面側から皿ねじ６３を挿通するための皿もみ孔７が形成されている。
【００３２】
照明装置１０において、光源部１６は、熱伝導性シート（図示は省略する）を介して第１座部１７上に搭載されるものであってもよい。また、第２座部１８の背面１８ａは、後述する器具本体５５（図５参照）に照明装置１０が組み込まれたときに、器具本体５５の放熱部５２と接触する伝熱面として機能する。
【００３３】
第２フレーム２１は、光反射性に優れた白色樹脂を用いて形成される。第２フレーム２１の表面側には、円形の第１開口２２が形成され、背面側の底部２５には、第１開口２２よりも小径の円形の第２開口２３が形成されている。第１開口２２の内縁側には、段部２２ａが形成されており、この段部２２ａ上に円板状のフレネルレンズ２６が配置されて、任意の適切な手段により第２フレーム２１に保持される。この際、照明装置１０では、フレネルレンズ２６は、その光軸が、上述した意味での照明装置１０の光軸ＣＬと一致するように配置される。また、第２フレーム２１の外周面側には、第１フレーム１１の腕部２の皿もみ孔７に対応する位置に、皿ねじ６３を螺着するための孔部２７が設けられている。
【００３４】
照明装置１０を組立てたときに、光源部１６の発光部１４は、第２フレーム２１の第２開口２３から露出し、その際、第２開口２３の外縁部２９は、光源部１６の搭載基板１５を後方に押さえつけるように構成されている。また、第２フレーム２１の内部には、第１開口２２と第２開口２３との間に、前方に向かって広がるように傾斜するすり鉢状の傾斜面として、反射面２４が形成される。
【００３５】
照明装置１０は、さらに、第１フレーム１１の円周方向に沿って離散して取り付けられる複数の係止部４１を有している。係止部４１は、第１端部４２、第２端部４３、及び第１端部４２と第２端部４３を連結する連結部４４が含まれる。照明装置１０では、係止部４１は、バネ性を有する薄板材（本実施形態では、鋼材）の折り曲げ加工によって一体に形成されている。図３に示すように、第１端部４２は、薄板の延在方向に沿って略Ｓ字状に湾曲するように形成され、第２端部４３は、薄板の延在方向に直交する断面がＵ字状に形成され、連結部４４は、薄板の延在方向に沿ってU字状に湾曲するように形成される。
【００３６】
Ｕ字状の連結部４４は、互いに平行に延びる１対の腕部４４ａ、４４ｂを有しており、第１端部４２は、一方の腕部４４ａとの接続部から折返され、かつ、先端部が腕部４４ａに略直交する方向に延びるように、Ｓ字状に湾曲する。第２端部４３は、連結部４４の他方の腕部４４ｂに対して略直交する方向に延びる水平部４３ａと、水平部４３ａの両側端から連結部４４とは反対側に折り曲げられた一対の垂直部４３ｂとを有し、水平部４３と垂直部４３ｂとの接続部４３ｃは、湾曲面を形成するように折り曲げられている。そして、第２端部４３の水平部４３ａと連結部４４の腕部４４ｂとは、連結部４４の湾曲する接続部４４ｃにより滑らかに接続される。
【００３７】
照明装置１０において、係止部４１は、連結部４４が第１フレーム１１の側壁部１２を前方側から軸方向に沿って挟むように配置され、その際、第１端部４２が接続する腕部４４ａは、側壁部１２の内側面に沿って配置され、第２端部４３が接続する腕部４４ｂは、側壁１２の外側面に沿って配置される。これによって、第１端部４２は、第１フレーム１１の底部１３上に配置され、第２端部４３は、第１フレーム１１の側壁部１２から外側に突き出るように配置されことになる。
【００３８】
照明装置１０は、４つの係止部４１を備えており、各係止部４１は、第１フレーム１１の側壁部１２の、４つの腕部２、３にそれぞれ対応する位置に配置されている（図２参照）。また、照明装置１０では、係止部４１を位置決め配置するために、側壁部１２の各係止部４１を配置する位置の内側面及び外側面に、それぞれ溝部９ａ、９ｂが前方から軸方向に沿って形成されている。
【００３９】
照明装置１０は、光源部１６が搭載され、係止部４１が取り付けられた第１フレーム１１の内側に第２フレーム２１の後方側を配置し、第１フレーム１１と第２フレーム２１とを、それぞれの底部１３、２５の間に係止部４１の第１端部４２を挟んだ状態で、皿ねじ６３により固定することによって構成され、この際、係止部４１の第１端部４２は、前後方向に幾分圧縮変形される。照明装置１０において、係止部４１は、このように、第１フレーム１１と第２フレーム２１とを互いに固定することにより、その他の特別な固定手段を用いることなく、照明装置１０に対して固定されるものである（以下、固定後の第１フレーム１１及び第２フレーム２１の全体を、単にフレーム１１、２１ともいう）。
【００４０】
尚、照明装置１０において、第１フレーム１１の底部１３と第２フレーム２１の底部２５との間には、中継基板６０も配置されている。中継基板６０は、図示は省略するリード線等により光源部１６の搭載基板１５と接続されており、図４に示すように、中継基板６０の背面側には、円弧状の電極パターン６４が形成されている。そして、照明装置１０を器具本体５５（図５参照）に組み込んだときに、この電極パターン６４と器具本体５５のコネクタ５６（図６参照）のバネ性を有するコンタクト５７とが物理的に接触することにより、器具本体５５と中継基板６０、ひいては光源部１６が電気的に接続される。また、このような電気的接続を可能とするため、第１フレーム１１の第２座部１８と中継基板６０とは、第２座部１８の外側（第２座部１８と４つの腕部２、３によって区画される４つの空間内）に、電極パターン６４が露出する大きさに設定されている。
【００４１】
以上のように構成された照明装置１０において、それぞれの係止部４１は、その連結部４４（主として、第２端部４３との接続部４４ｃ）が弾性変形することによって、第２端部４３が、第１端部４２に対して（したがって、フレーム１１、２１に対して）弾性的に変位可能なものである。
【００４２】
図５及び図６を参照して、このような照明装置１０を、照明ユニットと器具本体とを組合せて構成される照明器具５０の照明ユニット（照明装置と同様の符号１０を付す）として使用する場合の作用効果について説明すれば、次の通りである。ここで照明器具５０は、照明ユニット１０と、照明ユニット１０が組み込まれる器具本体５５を有しており、器具本体５５は、照明ユニット１０の組み込み時に照明ユニット１０の側面を囲む環状の筐体５１と、筐体５１の一方の開口を覆うように設けられた放熱部５２とを有している。
【００４３】
さらに、筐体５５の内面には、照明ユニット１０に固定されたそれぞれの係止部４１に対応する係止受部５３が設けられており、照明器具４０の使用時において、照明ユニット１０は、各係止部４１の第２端部４３の水平部４３ａが、対応する係止受部５３によって前方で係止されるように筐体５１内に組み込まれる。
【００４４】
このとき、本実施形態における照明装置を用いた照明ユニット１０では、照明ユニット１０及び器具本体５５の各部材の機械的精度（例えば、器具本体５５の係止受部５３の前後方向の位置精度、または、照明ユニット１０の係止部４１の前後方向の位置精度）が十分でなく、フレーム１１、２１と器具本体５５との間にがたつきが発生する可能性がある場合でも、それぞれの係止部４１の第２端部４３が第１端部４２に対して（したがって、フレーム１１、２１に対して）弾性的に変位することによりそのがたつきを吸収し、照明ユニット１０を器具本体５５に安定かつ強固に取り付けることが可能となる。
【００４５】
また、このように、係止部４１の第２端部４３が第１端部４２に対して（したがって、フレーム１１、２１に対して）弾性的に変位可能とした構成は、照明器具５０において、器具本体５５のコネクタ５６（図６参照）のバネ性を有するコンタクト５７からの前方への付勢力に対抗して、照明ユニット１０を器具本体５５に安定かつ強固に取り付けるためにも有利なものである。
【００４６】
そして、これによって、器具本体５５の背面側に設けられる放熱部５２に対して、光源部１６が搭載された第１フレーム１１を安定して接触させることが可能となり、光源部１６から発生する熱を器具本体５５の放熱部５２に効率良く伝熱することにより、光源部１６の温度上昇を抑制し、ひいては発光部１４の発光効率を向上させることができる。また、光源部１６を、熱伝導性シート（図示は省略する）を介して第１フレーム１１の第１座部１７上に搭載する場合であっても、比較的薄い熱伝導性シートで十分な放熱性を得ることができる。このような放熱性の向上は、照明ユニット１０のように、光源部１６の発光部１４が、発光ダイオードから構成されている場合に、特に有利なものである。
【００４７】
また、各係止部４１は、上述したように、互いに固定される第１フレーム１１と第２フレーム１２との間に第１端部４２が挟まれることによって、その他の特別な固定手段を用いることなく、照明ユニット１０に固定されているため、第１フレーム１１と第２フレーム１２とを分離することによって、照明ユニット１０から容易に着脱可能なものである。これによって、必要に応じて（例えば、特定の係止部に故障が発生した場合、あるいは、弾性力の異なる係止部を使用したい場合等）、個々の係止部４１を容易に交換することができる。
【００４８】
また、図６に示すように、器具本体５５の筐体５１に設けられる係止受部５３は、係止部４１の第２端部４３を係止する係止面である後方側の面５３ａが、円周方向に沿って一方向（図示の例では時計回り方向）に、僅かに後方側に傾斜する傾斜面として形成されており、照明ユニット１０を筐体５５内に配置する際には、照明ユニット１０の各係止部４１の第２端部４３が、矢印Ａに示すような経路に沿って移動して係止受部５３に嵌め込まれるように、照明ユニット１０を移動させるものである。この場合、係止受部４１の係止面５３ａには、まず、第２端部４３の水平部４３ａと垂直部４３ｂとの接続部４３ｃが接触することになる。しかるに、照明ユニット１０では、係止部４１の第２端部４３において、水平部４３ａと垂直部４３ｂとの接続部４３ｃは、湾曲面として形成されているため、第２端部４３の係止受部５３への嵌め込みを滑らかに行うことができる。
【００４９】
さらに、照明ユニット１０では、４つの係止部４１は、光軸ＣＬ回りに回転対称に配置されているため、フレーム１１、２１と器具本体５１とのがたつきをバランスよく吸収し、照明ユニット１０を器具本体５５により安定かつ強固に取り付けることが可能となる。
【００５０】
また、図５に示すような照明器具５０は、器具本体５５を天井等に埋設し、このように埋設された器具本体５５に対して照明ユニット１０を組み込んで、天井等から室内を照明する所謂ダウンライトとして好適に使用されるものであるが、照明ユニット１０は、各係止部４１が対応する係止受部５３によって前方（この使用例では下方）で係止されるように筐体５１内に組み込まれる構造を有するため、係止部４１における弾性変形によって、照明ユニット１０の耐落下性能が、従来の照明ユニットと比較して低下することはないものである。むしろ、第２端部４３が第１端部４２に対して弾性的に変位することによって、その弾性力により第２端部４３と係止受部５３との結合がより強固となるため、照明ユニット１０を器具本体５５に安定かつ確実に取り付けることができる。
【００５１】
以上、本発明を好ましい実施形態に基づいて説明してきたが、本発明に係る照明装置は、上述した実施形態に限定されるものではない。例えば、本発明は、係止部４１、及び、ねじ（例えば、皿ねじ６３）等の数や配置の具体的態様が、上述した実施形態に限定されるものではない。
【符号の説明】
【００５２】
１０：照明装置（照明ユニット）、１１：第１フレーム、１２：側壁部、１３：底部、１６：光源部、２１：第２フレーム、２２：第１開口、２３：第２開口、２５：底部、４１：係止部、４２：第１端部、４３：第２端部、４４：連結部
【図１】
2015011762.tif 000003
【図２】
2015011762.tif 000004
【図３】
2015011762.tif 000005
【図４】
2015011762.tif 000006
【図５】
2015011762.tif 000007
【図６】
2015011762.tif 000008
【図７】
2015011762.tif 000009